(57)【要約】アクセス端末は、タイミング情報が正確ではないあるいは正確でない可能性があると決定された後、再獲得プロシージャの間に、隣接基地局に関連する同期チャネル(ＳＣＨ)のためにそのようなタイミング情報を使用するのに好適する。例えば、アクセス端末は、組み合わせ獲得プロシージャなどの手段によって、隣接基地局に関連する同期チャネル(ＳＣＨ)のためのタイミング情報を獲得することができる。アクセス端末は引き続いて、取得したタイミング情報はもはや基地局と同期していないあるいは同期していないように思われると決定することができる。そのような決定に応答して、アクセス端末は、基地局を再獲得するための受信ウインドウを開く時期を合わせるために前記取得したタイミング情報を使用することができる。他の側面、実施形態および特徴は特許請求されかつ記述される。【選択図】        図９
2015519846.tif 000002
【特許請求の範囲】
【請求項１】
アクセス端末であって
通信インタフェースと、
記憶媒体と、
前記通信インタフェースと前記記憶媒体とに結合された処理回路であって、
基地局に関連する同期チャネル（ＳＣＨ）のためのタイミング情報を取得し、
前記基地局を再獲得するための受信ウインドウをいつ開くかを決定するために前記取得したタイミング情報を使用する、のに好適する処理回路と、
を備えるアクセス端末。
【請求項２】
前記処理回路はさらに、前記獲得したタイミング情報が現在前記基地局に同期しているかどうかを決定するために、前記取得された同期チャネル（ＳＣＨ）タイミング情報を周期的に再確認するのに好適する請求項１に記載のアクセス端末。
【請求項３】
前記処理回路はさらに、前記取得された同期チャネル（ＳＣＨ）タイミング情報の再確認が連続して所定回数失敗したことに応答して、前記基地局を再獲得するための前記受信ウインドウをいつ開くかを決定するために前記取得したタイミング情報を使用するのに好適する請求項２に記載のアクセス端末。
【請求項４】
前記基地局を再獲得するための受信ウインドウをいつ開くかを決定するために前記取得したタイミング情報を使用するのに好適する前記処理回路は、
前記取得したタイミング情報に基づいて、前記同期チャネル（ＳＣＨ）が予期される時間に先立って、所定量の時間だけ前記受信ウィンドウを開くのに好適し、前記所定量の時間は、前記予期された同期チャネル（ＳＣＨ）に先立って周波数補正チャネル（ＦＣＣＨ）を獲得するのに十分となるように決定される請求項１に記載のアクセス端末。
【請求項５】
前記処理回路はさらに、前記獲得されたタイミング情報に基づいて、前記同期チャネル（ＳＣＨ）送信が予期される時間のあとの予め決められた時間量だけ前記受信ウインドウを閉じるために前記獲得されたタイミング情報を使用するのに好適する請求項４のアクセス端末。
【請求項６】
前記処理回路は、前記獲得されたタイミング情報に基づいて、前記受信ウインドウを開くときに前記基地局を再獲得するための所定回数の連続的な企てが失敗したことを決定するとともに、
前記獲得されたタイミング情報を使用することなしに、周波数補正チャネル（ＦＣＣＨ）を探索することによって獲得プロシージャを実行するのに好適する請求項１のアクセス端末。
【請求項７】
前記処理回路は、組み合わせ獲得プロシージャによって前記基地局に関連する前記同期チャネル（ＳＣＨ）のための前記タイマ情報を獲得するのに好適する請求項１のアクセス端末。
【請求項８】
アクセス端末に関して動作可能な方法であって、
基地局に関連する同期チャネル（ＳＣＨ）のためのタイミング情報を獲得することと、
前記獲得されたタイミング情報が現在、前記基地局に同期しているかどうかを決定することと、
前記獲得されたタイミングは、現在前記基地局に同期していないという決定に応答して、前記基地局を再獲得するための受信ウインドウを開くことであって、前記受信ウインドウは、前記獲得されたタイミング情報に基づく時間で開かれることと、
を備える方法。
【請求項９】
前記基地局に関連する前記同期チャネル（ＳＣＨ）のための前記タイミング情報を獲得することは、
周波数補正チャネル（ＦＣＣＨ）を獲得することと、
前記周波数補正チャネル（ＦＣＣＨ）に続いて同期チャネル（ＳＣＨ）を復号することと、を備える、組み合わせ獲得プロシージャを実行することを含む組み合わせ獲得プロシージャを実行することを含む請求項８に記載の方法。
【請求項１０】
前記獲得されたタイミングが現在前記基地局に同期しているかどうかを決定することは、前記獲得された同期チャネル（ＳＣＨ）タイミング情報を周期的に再確認することを備える請求項８に記載の方法。
【請求項１１】
前記獲得されたタイミング情報に基づく時間で前記受信ウインドウを開くことは、同期チャネル（ＳＣＨ）送信が予期される時間に先立って、前記受信ウインドウを所定の時間量だけ開くことを備える請求項８に記載の方法。
【請求項１２】
前記所定の時間量は、前記予期された同期チャネル（ＳＣＨ）送信に先立つ周波数補正チャネル（ＦＣＣＨ）を獲得するのに十分な時間量を含む請求項１１に記載の方法。
【請求項１３】
前記獲得されたタイミング情報に基づく時間で前記受信ウインドウを閉じることをさらに備える請求項８に記載の方法。
【請求項１４】
前記獲得されたタイミング情報に基づいて、前記アクセス端末が受信ウインドウによって前記基地局を再獲得できないことを決定することと、
前記獲得されたタイミング情報を用いることなしに周波数補正チャネル（ＦＣＣＨ）を探索することによって、獲得プロシージャを実行することと、をさらに備える請求項８に記載の方法。
【請求項１５】
アクセス端末であって、
基地局に関連する同期チャネル（ＳＣＨ）のためのタイミング情報を獲得するための手段と、
前記獲得された同期チャネル（ＳＣＨ）タイミング情報を周期的に再確認するための手段と、
２回以上の連続的周期的再確認の失敗に応答して、前記基地局を再獲得するための受信ウインドウを開くための手段であって、前記受信ウインドウは、前記獲得されたタイミング情報に基づく時間で開かれる手段と、を備えるアクセス端末。
【請求項１６】
前記獲得されたタイミング情報に基づく時間で前記受信ウインドウを開くことは、
同期チャネル（ＳＣＨ）送信が予期される時間に先立って所定の時間量だけ前記受信ウインドウを開くことであって、前記所定の時間量は、前記予期された同期チャネル（ＳＣＨ）送信に先立つ周波数補正チャネル（ＦＣＣＨ）を獲得するのに十分な時間量を含むことをさらに備える請求項１５に記載のアクセス端末。
【請求項１７】
前記獲得されたタイミング情報に基づく時間で前記受信ウインドウを閉じるための手段をさらに備える請求項１５に記載のアクセス端末。
【請求項１８】
前記獲得されたタイミング情報に基づいて、前記アクセス端末が受信ウインドウによって前記基地局を再獲得できないことを決定するための手段と、
前記獲得されたタイミング情報を用いることなしに周波数補正チャネル（ＦＣＣＨ）を探索することによって、獲得プロシージャを実行するための手段と、
をさらに備える請求項１５に記載の方法。
【請求項１９】
コンピュータ読み取り可能媒体であって、
基地局に関連する同期チャネル（ＳＣＨ）のためのタイミング情報を獲得し、
前記基地局を再獲得するための受信ウインドウをいつ開くかを決定するために、前記獲得したタイミング情報を使用する、ためのプログラミングを備える、コンピュータ読み取り可能媒体。
【請求項２０】
前記獲得されたタイミング情報が現在前記基地局と同期しているかどうかを決定するために前記獲得された同期チャネル（ＳＣＨ）タイミング情報を周期的に再確認するためのプログラミングをさらに備える請求項１９に記載のコンピュータ読み取り可能媒体。
【請求項２１】
前記基地局を再獲得するための受信ウインドウをいつ開くかを決定するために前記獲得されたタイミング情報を使用することは、
前記獲得された同期チャネル（ＳＣＨ）タイミング情報の所定回数の連続的再確認の失敗に応答して、前記基地局を再獲得するための前記受信ウインドウをいつ開くかを決定するために前記獲得されたタイミング情報を使用することをさらに備える請求項２０に記載のコンピュータ読み取り可能な媒体。
【請求項２２】
前記基地局を再獲得するための受信ウインドウをいつ開くかを決定するために前記獲得されたタイミング情報を使用することは、
前記獲得されたタイミング情報に基づいて、前記同期チャネル（ＳＣＨ）送信が予期される時間の後に所定の時間量だけ前記受信ウインドウを閉じるために、前記獲得された時間情報を使用することを備える請求項１９に記載のコンピュータ読み取り可能な媒体。
【請求項２３】
前記受信ウインドウを開くときに、前記獲得されたタイミング情報に基づいて前記基地局を再獲得するための所定回数の連続的企てが失敗したと決定し、
前記獲得されたタイミング情報を使用することなしに周波数補正チャネル（ＦＣＣＨ）を探索することによって獲得プロシージャを実行する、ためのプログラミングをさらに備える請求項１９に記載のコンピュータ読み取り可能な媒体。
【発明の詳細な説明】
【技術分野】
【０００１】
関連出願の相互参照および優先権主張
[０００１]特許状のための本出願は、米国仮出願第６１／６５３３５０（名称：セル再獲得を最適化するための方法およびデバイス、２０１２年５月３０日出願）の優先権および利益を請求するものである。本願は、その譲り受け人に譲渡され、以下に全体が記述されているかのごとくそしてすべての適用可能な目的のためにここに参照によって明示的に組み込まれている。
【０００２】
[０００２]本発明の実施形態は概して、無線通信に関するものであり、より詳細には、セルを再獲得するための方法およびデバイスに関する。
【背景技術】
【０００３】
[０００３]無線通信は、音声、ビデオ、パケットデータ、メッセージ、ブロードキャストなどの種々のタイプの通信コンテンツを提供するために広範に展開されている。これらのシステムは、無線通信を確立するのに好適する種々のタイプのアクセス端末によってアクセスされる。ここにおいて複数のアクセス端末は、利用可能なシステムリソース（例えば時間、周波数、および電力）を共有する。そのような無線システムの例は、符号分割多元アクセス（ＣＤＭＡ）システム、時分割多元アクセス（ＴＤＭＡ）システム、周波数分割多元アクセス（ＦＤＭＡ）システムおよび直交周波数分割多元アクセス（ＯＦＤＭＡ）システムを含む。
【０００４】
[０００４]１つ以上の無線通信システムにアクセスするのに好適するアクセス端末は、しばしば、アクセス端末上で動作する電力を多く消費するアプリケーションを使用し、消費者にとってだんだんと人気の的になってきている。アクセス端末は概して電池で動作し、充電の間に電池が提供する電力の量は概して制限される。そこで電力リソースを効率よく使用することに対する必要性が残されている。
【発明の概要】
【０００５】
[０００５]本発明の実施形態は上で説明された問題及び他の問題に焦点を当てている。例えば、一部の場合において、電池の再充電の間においてアクセス端末の動作生命を拡張することを助けることができる特徴は利点をもたらす。本開示の種々の特徴および側面は、セルとの同期を含む、セルの再獲得の最適化によって電力の保存を確立するのに好適する。読者の便宜のために以下に例示的な実施形態の要約が提供される。この要約は特許請求された技術を制限するのに用いられるべきではない。
【０００６】
[０００６]本開示の少なくとも一側面によれば、アクセス端末は、通信インタフェースと処理回路に結合された記憶媒体とを含むことができる。処理回路は、基地局に関連する同期チャネル(ＳＣＨ)のためのタイミング情報を獲得するのに好適する。さらに処理回路は、基地局を再獲得するための受信ウインドウをいつ開くのかを決定するために取得したタイミング情報を使用するのに好適する。
【０００７】
[０００７]さらなる側面は、アクセス端末上で動作可能は方法および／またはそのような方法を実行するための手段を含むアクセス端末を提供する。そのような方法の１つ以上の例は、基地局に関連した同期チャネル(ＳＣＨ)のためのタイミング情報を獲得することを含む。獲得したタイミングが現在基地局と同期しているかの決定がなされる。獲得したタイミングは現在基地局と同期していないという決定に応答して、基地局を再獲得するための受信ウインドウを開くことが可能である。受信ウインドウは獲得したタイミング情報に基づく時間で開かれる。
【０００８】
[０００８]さらなる他の側面は、アクセス端末上で動作するプログラミングを含むコンピュータ読み取り可能な媒体を含む。１つ以上の例によれば、そのようなプログラミングは、基地局に関連する同期チャネル(ＳＣＨ)のためのタイミング情報を獲得するとともに、基地局を再獲得するための受信ウインドウをいつ開くかを決定するために獲得したタイミング情報を使用するのに好適する。
【０００９】
[０００９]本発明の他の側面、特徴および実施形態は、添付の図に関連して本発明の特定の例示的な実施形態の以下の記述を検討することによって当業者にとって明らかになるであろう。本発明の特徴は、ある実施形態および以下の図に関連して説明されるが、本発明のすべての実施形態は、ここで説明された１つ以上の有利な特徴を含む。言い換えると、１つ以上の実施形態はある種の有利な特徴をもつものとして説明されるが、１つ以上のそのような特徴はまた、ここに説明される発明の種々の実施形態に関連して用いられる。同様にして、例示的な実施形態が、以下にデバイス、システムあるいは方法の実施形態として説明されるが、そのような例示的実施形態は、種々のデバイス、システムおよび方法において実装されることができる。
【図面の簡単な説明】
【００１０】
【図１】[００１０]図１は、本開示の1つ以上の側面が応用を見出すネットワーク環境の一例を示すブロック図である。
【図２】[００１１]図２は、少なくとも１つの例にしたがった、図１の無線通信システムの選択コンポーネントを示すブロック図である。
【図３】[００１２]図３は、ＧＳＭ（登録商標）通信のための５１フレームのマルチフレーム構造の一例を示すブロック図である。
【図４】[００１３]図４は、ＧＳＭ通信のための５１フレームのマルチフレーム構造の他の例を示すブロック図である。
【図５】[００１４]図５は、少なくとも１つの例にしたがった組み合わせ獲得プロシージャのための受信ウインドウに関連したＦＣＣＨフレーム及びＳＣＨフレームを示すブロック図である。
【図６】[００１５]図６は、少なくとも１つにしたがったＳＣＨ再確認プロシージャのためのタイミングを示す図である。
【図７】[００１６]図７は、少なくとも1つの例にしたがったアクセス端末の選択コンポーネントを示すブロック図である。
【図８】[００１７]図８は、少なくとも１つの実装にしたがったセル獲得及び再獲得を行うための一例を示すフロー図である。
【図９】[００１８]図９は、少なくとも１つの例にしたがった、アクセス端末に関して実行される方法を示すフロー図である。
【発明を実施するための形態】
【００１１】
［００１９］添付の図面に関連して以下に説明される説明は、種々の構成の記述を意図するものであって、個々に記述された概念および特徴が実施される構成のみを表すことを意図するものではない。以下の記述は、種々の概念の完全な理解を提供することを目的とする特定の詳細を含む。しかしながら、これらの概念は特定の詳細な詳細なしに実施できることは当業者にとって明らかである。一部の例において、基地の回路、構造、技術およびコンポーネントは、記述された概念および特徴が不明瞭になるのを防ぐためにブロック図の形態で示される。
【００１２】
［００２０］この開示を介して提示された種々の概念は、広範な種類の遠隔通信システム、ネットワークアーキテクチャ、及び通信標準にわたって実装されることができる。説明のある側面は、第３世代パートナーシッププロジェクト（３ＧＰＰ）プロトコルおよびシステムに関して以下に説明され、以下の記述の多くの中に関連する術語が見出される。しかしながら、当業者ならば、本開示の１つ以上の側面が使用されるとともに１つ以上の他の無線通信プロトコルおよびシステムに含まれることを認識するであろう。
【００１３】
［００２１］図１は、本開示の１つ以上の側面が応用を見出すネットワーク環境のブロック図である。ワイヤレス通信システム１００は、１つ以上のアクセス端末１０と無線で通信するのに好適する基地局１０２を含む。システム１００は複数のキャリア（異なる周波数の波形信号）に関する動作を支持する。マルチキャリア送信器は複数のキャリアに関して同時に変調された信号を送信可能である。各変調された信号は、ＣＤＭＡ信号、ＴＤＭＡ信号、ＯＦＤＭＡ信号、単一キャリア周波数分割多重接続（ＳＣ−ＦＤＭＡ）信号などであることができる。各変調された信号は異なるキャリアに関して送信され、制御情報（例えばパイロット信号など）、オーバヘッド情報、データなどを含む。
【００１４】
［００２２］基地局１０２は、基地局アンテナを介してアクセス端末１０４と無線で通信する。基地局１０２はそれぞれ概して、無線通信システム１００に対する（１つ以上のアクセス端末１０４のための）無線接続性を確立するのに好適するデバイスとして実装されることができる。基地局１０２は、複数のキャリアを介して、基地局コントローラ（図２を参照）の制御のもとにアクセス端末１０４と通信するように構成される。基地局１０２サイトの各々は、各地理的領域に対する通信カバレージを提供する。各基地局１０２のためのカバレージエリア１０６はここでは、セル１０６−ａ、１０６−ｂ、あるいは１０６ｃとして特定される。基地局１０２のためのカバレージエリア１０６は、セクター（図示しないが、カバレージ領域のほんの一部から構成される）に分割される。システム１００は、異なるタイプ（例えばマクロ、ミクロ、フェムト、及び／またはピコ基地局）の基地局１０２を含むことができる。
【００１５】
［００２３］１つ以上のアクセス端末１０４はカバレージ領域１０６にわたって分散される。各アクセス端末１０４は、１つ以上の基地局１０２と通信する。アクセス端末１０４は概して、無線信号を介して、１つ以上の他のデバイスと通信する１つ以上のデバイスを含む。そのようなアクセス端末１０４はまた、当業者によって、ユーザ装置（ＵＥ）、モバイル局（ＭＳ）、サブスクライバ局、モバイルユニット、サブスクライバユニット、無線ユニット、リモートユニット、モバイルデバイス、無線デバイス、無線通信デバイス、遠隔デバイス、モバイルサブスクライバ局、モバイル端末、無線端末、遠隔端末、ハンドセット、端末、ユーザエージェント、モバイルクライアント、クライアント、あるいは他の適当な術語、で呼ばれる。アクセス端末１０４は、モバイル端末および／または少なくとも実質的に固定の端末を含む。アクセス端末１０４の一例は、モバイルフォーン、ページャー、ワイヤレスモデム、パーソナルデジタルアシスタント、パーソナル情報マネージャ（ＰＩＭ）、パーソナルメディアプレーヤ、パームトップコンピュータ、ラップトップコンピュータ、タブレットコンピュータ、テレビ、アプライアンス、ｅリーダ、デジタルビデオレコーダ（ＤＶＲ）、マシンツーマシン（Ｍ２Ｍ）デバイス、および／または、ワイヤレスまたはセルラネットワークを介して少なくとも部分的に通信する他の通信／計算デバイス、を含む。
【００１６】
［００２４］図２に関して、ワイヤレス通信システム１００の選択コンポーネントを示すブロック図が少なくとも１つの例にしたがって示される。示されるように、基地局１０２は無線アクセスネットワーク（ＲＡＮ）２０２の少なくとも一部として含まれる。無線アクセスネットワーク（ＲＡＮ）２０２は概して、1つ以上のアクセス端末１０４及びコアネットワーク２０４に含まれたネットワークエンティティなどの、1つ以上の他のネットワークエンティティ間のトラフィックおよびシグナリングを管理するのに好適する。種々の実装によれば、無線アクセスネットワーク２０２は当業者によって基地局サブシステム（ＢＳＳ）、アクセスネットワーク、ＧＳＭエッジ無線アクセスネットワーク（ＧＥＲＡＮ）などと呼ばれる。
【００１７】
［００２５］1つ以上の基地局１０２に加えて、無線アクセスネットワーク２０２は、基地局コントローラ（ＢＳＣ）２０６を含むことができ、これは、当業者によって無線ネットワークコントローラ（ＲＮＣ）と呼ばれる。基地局コントローラ２０６は概して、基地局コントローラ２０６に接続された1つ以上の基地局１０２に関連する1つ以上のカバレージエリア内の無線接続の確立、解放および保守を行う役目を有する。基地局コントローラ２０６は、コアネットワーク２０４の1つ以上のノードあるいはエンティティに通信可能に結合される。
【００１８】
［００２６］コアネットワーク２０４は、無線アクセスネットワーク２０２を介して接続されたアクセス端末１０４に対して種々のサービスを提供する無線通信システム１００の一部である。コアネットワーク２０４は回線交換（ＣＳ）ドメインおよびパケット交換（ＰＳ）ドメインを含む。回線交換エンティティの一部の例は、ＭＳＣ／ＶＬＲ２０８として特定される、モバイルスイッチングセンタ（ＭＳＣ）およびビジタロケーションレジスタ（ＶＬＲ）を含む。パケット交換要素は、サービングＧＰＲＳサポートノード（ＳＧＳＮ）２１２およびゲートウエイＧＰＲＳサポートノード（ＧＧＳＮ）２１４を含む。他のネットワークエンティティは、ＥＩＲ、ＨＬＲ、ＶＬＲおよびＡｕCなどを含み、その一部あるいはすべては回線交換およびパケット交換ドメインによって共有される。アクセス端末１０４は、回線交換ドメインを介して公衆交換電話網（ＰＳＴＮ）２１６、およびパケット交換ドメインを介してＩＰネットワーク２１８に対するアクセスを獲得することができる。
【００１９】
［００２７］アクセス端末１０４が無線通信システム１００内で動作するときに、アクセス端末１０４は、サービングセルと接続され、1つ以上の隣接セルを監視する。隣接セルを監視するために、アクセス端末１０４は概して隣接セルに関連する制御チャネルキャリアを使用する。制御チャネルは制御チャネルに関して情報を送信するために５１フレームのマルチフレーム構造を使用する。
【００２０】
［００２８］図３、４は種々のマルチフレームフォーマットを示す。図３は、周波数補正チャネル（ＦＣＣＨ）、同期チャネル（ＳＣＨ）、ブロードキャスト制御チャネル（ＢＣＣＨ）および共通制御チャネル（ＣＣＣＨ）のためのＴＤＭＡマッピングももつ、５１フレームのマルチフレーム構造の一例を示す。図４は、周波数補正チャネル（ＦＣＣＨ）、同期チャネル（ＳＣＨ）、ブロードキャスト制御チャネル（ＢＣＣＨ）および共通制御チャネル（ＣＣＣＨ）、スタンドアロン専用制御チャネル（ＳＤＣＣＨ）および低速付随制御チャネル（ＳＡＣＣＨ）のためのＴＤＭＡマッピングをもつ、５１フレームのマルチフレーム構造の他の例を示す。                                  
［００２９］５１フレームのマルチフレーム構造の両方の例において、周波数補正チャネル（ＦＣＣＨ）および同期チャネル（ＳＣＨ）は、１０フレームあるいは１１フレームごとに発生する。これらのフレームの各々は、０から７までの８つのバースト周期３０２、４０２を含む。周波数補正チャネル（ＦＣＣＨ）は、ＧＳＭエアインタフェースにおけるダウンリンクのみの制御チャネルである。隣接セルは概して、周波数補正チャネル（ＦＣＣＨ）の第１のバースト周期（例えばバースト周期０）の間に、ガウシアンミニマムシフトキーイング（ＧＭＳＫ）変調器出力における固定トーンを生成する予め規定された系列（例えばオールゼロ系列）を含む、無線バーストを送信する。このトーンは、アクセス端末１０４が、周波数同期のために、局部発振器を基地局１０２のクロックに固定することを可能にする。図3および図４に示されるように、周波数補正チャネル（ＦＣＣＨ）は概して、同期チャネル（ＳＣＨ）の直前におけるフレーム内において送信される。同期チャネル（ＳＣＨ）は、アクセス端末１０４が隣接したセルを直ちに特定して当該セルのタイミング構造（例えばＴＤＭＡ構造）に同期することを可能にする。隣接セルは概して、同期チャネル（ＳＣＨ）の第１のバースト周期（例えばバースト周期０）の間に無線バーストを送信する。無線バーストは、セルに関連する特定の基地局１０２の現在のフレームクロックと、基地局１０２に関連する識別コード（例えば基地局識別コード（ＢＳＩＣ）と、拡張トレーニング系列とを含む。
【００２１】
［００３０］1つ以上の隣接セルを監視するための手順の一部として、アクセス端末１０４は概して、それが、”組み合わせ獲得プロシージャ”として共通して当業者に呼ばれる獲得プロシージャによって各隣接セルと同期することを確実にする。組み合わせ獲得プロシージャの間、アクセス端末１０４は最初に、時間同期のための同期チャネル（ＳＣＨ）を検出し、続いて、周波数同期のための周波数同期チャネルを検出する。図5に戻って、（図３および図4に示されるような）５１フレームのマルチフレーム構造の拡大されたシグナリングフォーマットが示されるが、周波数補正チャネル（ＦＣＣＨ）フレームおよび同期チャネル（ＳＣＨ）フレームの一部のみを示している。一般的な組み合わせ獲得プロシージャを実行するにあたって、アクセス端末１０４は、周波数に関して固定するための周波数補正チャネル（ＦＣＣＨ）および時間同期を得るための同期チャネル（ＳＣＨ）を獲得すべく、制御チャネルキャリアを連続的に監視して、ＢＳＩＣ  ＩＤを復号するために、受信ウインドウ５０２を開く。同期チャネル（ＳＣＨ）が首尾よく復号され、周波数およびタイミングが同期されたあと、受信ウインドウ５０２は閉じられる。ここに用いられるように、受信ウインドウ５０２などの受信ウインドウは、受信データ及び／またはシグナリングに対する受信機回路を監視するために、アクセス端末１０４が受信機回路の１つ以上のコンポーネントを電源ＯＮする時間間隔を含む。
【００２２】
［００３１］図５に示すように、受信ウインドウ５０２は、周波数補正チャネル（ＦＣＣＨ）に先立つある期間の間開かれる。例えば、アクセス端末１０４は、周波数補正チャネル（ＦＣＣＨ）を監視するために周波数補正チャネル（ＦＣＣＨ）に先立つある期間の間受信ウインドウ５０２を開く。アクセス端末１０４がアイドルモードになるある期間において、受信ウインドウ５０２は、前記組み合わせ獲得プロシージャに関連する周波数およびタイミング同期を完了させるために、ほぼ１３フレームの間、開かれる。例えば、図３に示される最後のＦＣＣＨフレームにおいて、受信ウインドウ５０２が、ＦＣＣＨフレームの間であるが、無線バーストが第１のバースト期間（例えばバースト期間０）の間にすでに送信されたあとに開かれたならば、受信ウインドウ５０２は、全部で１３足らずのフルフレーム（約６０ミリ秒）に対して、すなわち、ＦＣＣＨフレームの残りの部分、ＦＣＣＨフレーム、ＳＣＨフレーム、８つのＣＣＣＨフレーム、ＩＤＬＥフレームそして次のＳＣＨフレームに対して開かれる。専用および転送モードの場合、受信ウインドウ５０２は隣接セルを獲得するために短期間の間に複数回開かれるが、これは隣接セル獲得は概して、図３および図４に示される期間に類似した固定アイドル期間の間発生するからである。
【００２３】
［００３２］アクセス端末１０４は首尾よく組み合わせ獲得プロシージャを完了するとともに隣接セルを獲得したあと、アクセス端末１０４は、同期を周期的に再確認するように適合される。例えば、首尾よく隣接セルを獲得したあと、アクセス端末１０４は少なくとも３０秒ごとに隣接セルのために同期チャネル（ＳＣＨ）を再確認するように適合される。すなわち、アクセス端末１０４は、それが３０秒あるいはそれ未満で送信されることが予期されるときに特定のセルから同期チャネル（ＳＣＨ）に関する送信を獲得して復号する。図６の図に示されるように、再確認が成功する（６０２）ごとに（例えば同期チャネル（ＳＣＨ）が成功した復号を渡す）、アクセス端末１０４は再確認のために次の３０秒あるいはそれ未満の間待機することができる。再確認が失敗する（６０４）ならば（例えばアクセス端末１０４が予期された時間に同期チャネル（ＳＣＨ）を獲得して復号することに失敗する）、アクセス端末１０４は、短時間（例えば１秒）以内に1つ以上の再確認（例えば再確認６０６および選択的再確認６０８）を引き続き実行するように適合する。
【００２４】
［００３３］いくつかの例において、所定回数（例えば2回以上）の連続的失敗のあと、アクセス端末１０４は、上記したように、従来の組み合わせ獲得プロシージャを実行することによって隣接セルを再獲得する。概して、連続的失敗は、従来のアクセス端末に対して、今タイミングが悪く完全に再決定することが必要であることを示す。したがって、以前のタイミングは明確ではないと決定されたので、従来のアクセス端末は以前のタイミングを気にすることなしに組み合わせ獲得プロシージャを開始する。上記したように、再獲得プロシージャは、周波数補正チャネル（ＦＣＣＨ)に続いて、同期チャネル（ＳＣＨ）を監視するために受信ウインドウを開くことを含む。しかしながら、上記したように、組み合わせ獲得プロシージャは概して、ほぼ１３フレーム（例えばほぼ６０ミリ秒）の間、受信ウインドウを開いた状態を保持する。
【００２５】
［００３４］本開示の少なくとも一側面によれば、アクセス端末は、セルを再獲得するときに、以前の成功した組み合わせ獲得プロシージャから取得された情報を使用するのに好適するように提供される。すなわち、１つ以上の再確認が失敗した後に組み合わせ獲得が初期化されたときに、以前のタイミング情報を捨てて、潜在的に長い連続する受信ウインドウを開くことによって周波数補正チャネル（ＦＣＣＨ）をやみくもに探すのではなく、以前の同期チャネル（ＳＣＨ）タイミングは、周波数補正チャネル（ＦＣＣＨ）および同期チャネル（ＳＣＨ）が予期される時間の前後で受信ウインドウを開くのに用いられる。言い換えると、以前の同期チャネル（ＳＣＨ）タイミングは、ある量の誤差になるまで信頼できる十分に正確なタイミング推定を示すので、以前の同期チャネル(ＳＣＨ)タイミングが同期チャネル(ＳＣＨ)を以前に復号することができたとすると、この同期チャネル(ＳＣＨ)タイミングは、周波数補正チャネル(ＦＣＣＨ)および同期チャネル(ＳＣＨ)が予期される時間で受信ウインドウを開くのに使用されることができる。
【００２６】
［００３５］少なくとも一部の例において、そのような特徴は、デバイスが、専用音声モードあるいは周波数補正チャネル(ＦＣＣＨ)を探すデータ転送モードの間に複数のアイドル期間を使用することを避けることを可能にし、他の隣接セルを再確認あるいは獲得するために利用可能である。さらに、次の周波数補正チャネル(ＦＣＣＨ)が発生するまで複数のスロットにわたる連続的受信のために、組み合わせ獲得プロシージャは電力を多く消費するので、そのような特徴は、周波数補正チャネル(ＦＣＣＨ)を探すのに費やす時間を減らすことによってアイドルモードにおける実質的な電力を保存することができる。
【００２７】
［００３６］図７は、本開示の少なくとも１つの例にしたがう、そのようなアクセス端末７００の選択コンポーネントを示すブロック図である。示されるように、アクセス端末７００は、通信インタフェース７０４と記憶媒体７０６に結合されて電気的通信の状態に置かれる処理回路７０２を含むことができる。
【００２８】
［００３７］処理回路７０２は、データを獲得、処理及び／または送信し、データアクセスおよび記憶を制御し、コマンドを発行し、他の所望の動作を制御するように配置される。
【００２９】
処理回路７０２は、少なくとも１つの例において、適当なメディアによって提供される所望のプログラミングを実装するのに好適する回路を含むことができる。例えば、処理回路７０２は、１つ以上のプロセッサ、１つ以上のコントローラおよび／または実行可能なプログラミングを実行するように構成された他の構造として実装されることができる。処理回路７０２の一例は、汎用プロセッサ、デジタルシグナルプロセッサ（ＤＳＰ）、特定用途向け集積回路（ＡＳＩＣ）、フィールドプログラマブルゲートアレイ（ＦＰＧＡ）あるいは他のプログラマブルコンポーネント、ディスクリートゲートあるいはトランジスタロジック、ディスクリートハードウエアコンポーネント、あるいはここに記述された機能を実行するように設計されたそれらの組み合わせを含むことができる。汎用プロセッサはマイクロプロセッサ、ならびに任意の従来のプロセッサ、コントローラ、マイクロコントローラ、あるいはステートマシンを含むことができる。処理回路７０２はまた、ＤＳＰおよびマイクロプロセッサの組み合わせなどの計算コンポーネントの組み合わせ、多数のマイクロプロセッサ、ＤＳＰコアに関連した１つ以上のマイクロプロセッサ、ＡＳＩＣおよびマイクロプロセッサあるいは任意の数の変更可能な構成として実装される。処理回路７０２のこれらの例が例示されるとともに、本開示の範囲内における他の適当な構成もまた考慮される。
【００３０】
［００３８］処理回路７０２は、処理するのに適合し、記憶媒体７０６に記憶されることができる、プログラミングの実行を含む。ここに用いられるように、術語“プログラミング”は、それがソフトウエア、ファームウエア、ミドルウエア、マイクロコード、ハードウエア、記述言語、その他どのように呼ばれようとも、限定なしに、命令、命令セット、データ、コード、コードセグメント、プログラムコード、プログラム、サブプログラム、ソフトウエアモジュール、アプリケーション、ソフトウエアアプリケーション、ソフトウエアパッケージ、ルーチン、サブルーチン、オブジェクト、実行可能物、実行のスレッド、プロシージャ、ファンクション等を含むものと広義に解釈されるべきである。
【００３１】
［００３９］通信インタフェース７０４は、アクセス端末７００の無線通信を確立するように構成される。例えば、通信インタフェース７０４は、１つ以上のネットワークノードに関して双方向で情報の通信を確立するのに適合する回路及び／又はプログラミングを含む。通信インタフェース７０４は、１つ以上のアンテナ（図示せず）に結合されることができ、少なくとも１つの受信器回路７０８（例えば１つ以上の受信器チェイン）及び／又は少なくとも１つの送信器回路７１０（すなわち１つ以上の送信器チェイン）を含む、無線トランシーバ回路を含む。
【００３２】
［００４０］記憶媒体７０６は、プロセッサ実行可能なコードあるいは命令（例えばソフトウエア、ファームウエア）、電子データ、データベース、あるいは他のデジタル情報などの、プログラミングを記憶するための、１つ以上のコンピュータ読み取り可能、機械読み取り可能、および／またはプロセッサ読み取り可能なデバイスを代表する。記憶媒体７０６はまた、プログラミングを実行するときに、処理回路７０２によって操作されるデータを記憶するのに用いられることができる。記憶媒体７０６は、汎用または専用プロセッサによってアクセス可能な任意の利用可能な媒体であり、ポータブルあるいは固定の記憶デバイス、光学デバイス、およびプログラミングを記憶、含有および／または運ぶことができる種々の他の媒体を含む。限定されないが一例として、記憶媒体７０６は、磁気記憶デバイス（例えばハードディスク、フロッピディスク、磁気ストリップ）、光学記憶媒体（例えばコンパクトディスク、デジタルバーサタイルディスク（ＤＶＤ））、スマートカード、フラッシュメモリデバイス（例えばカード、スティック、キードライブ）、ランダムアクセスメモリ（ＲＡＭ）、リードオンリメモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブルディスク、及び／又は、プログラミングを記憶するための他の媒体、上記したものの任意の組み合わせ、などのコンピュータ読み取り可能、機械読み取り可能、及び／又はプロセッサ読み取り可能な記憶媒体を含む。
【００３３】
［００４１］記憶媒体７０６は、処理回路７０２に結合され、これによって処理回路７０２は記憶媒体７０６から情報を読み出しかつ情報を書き込むことができる。すなわち、記憶媒体７０６は処理回路７０２に結合され、これによって記憶媒体７０６は処理回路７０２によって少なくともアクセス可能であり、記憶媒体７０６が処理回路７０２と一体化される例及び／又は記憶媒体７０６が処理回路７０２から分離される例（例えばアクセス端末７００内、アクセス端末７００の外部に配置される、及び／又は、複数のエンティティにわたって配布される）を含む。
【００３４】
［００４２］記憶媒体７０６は、記憶媒体７０６によって記憶されたプログラミングは、処理回路７０２によって実行されたときに、処理回路７０２に、ここに記述された１つ以上の種々の実行機能及び／又はプロセスステップを実行させる。例えば記憶媒体７０６は獲得動作７１４を含む。獲得動作７１４は、セルの獲得、セルの確認、及び／又はセルの再獲得を実行するべく処理回路７０２によって実装されることができる。すなわち、本開示の１つ以上の側面によれば、処理回路７０２は、ここに記述されたアクセス端末１０４のいずれかあるいはすべてのための（記憶媒体７０６に関連して）プロセス、ファンクション、ステップ及び／又はルーチンを実行するのに好適する。ここに使用されているように、処理回路７０２に関連する術語“好適する”は、ここに記述された種々の特徴にしたがって特定のプロセス、ステップ及び／またはルーチンを実行するように構成され、使用され、実装され、及び／又はプログラムされたものの１つ以上である処理回路７０２を意味する。
【００３５】
［００４３］動作時において、アクセス端末７００は、同じセルの次の再獲得を実行するにあたって以前のセル獲得から取得された情報を用いる。図８は、少なくとも１つの実装にしたがった、セル獲得及び再獲得を確立するための一例を示すフロー図である。示された例では、アクセス端末７００および隣接基地局８０２として特定されたネットワークノードが示されている。
【００３６】
［００４４］まず、アクセス端末７００は、隣接する基地局８０２を獲得することができる。この例において、アクセス端末７００は、組み合わせ獲得プロシージャを実行することができ、ここにおいて、前記アクセス端末７００は、隣接する基地局８０２のための制御チャネルキャリアを使用して、周波数同期のための周波数補正チャネル(ＦＣＣＨ)をまず検出し、そのあとに、時間同期のための同期チャネル（ＳＣＨ）が続く。組み合わせ獲得プロシージャによって隣接する基地局８０２を獲得するときに、アクセス端末７００は、アクセス端末が周波数補正チャネル(ＦＣＣＨ)および同期チャネル(ＳＣＨ)を検出するまでの間、受信ウインドウを開く。
【００３７】
［００４５］組み合わせ獲得プロシージャは、ガウシ型最小シフトキーイング（ＧＭＳＫ）変調器出力において固定トーン（例えば６７．７Ｋｈｚでのトーン）を生成する予め規定された系列（例えばオールゼロ系列）をもつバーストを含む、周波数補正チャネル（ＦＣＣＨ）送信８０４をブロードキャストする隣接する基地局８０２を含むことができる。このトーンは、８０６での周波数同期のために、アクセス端末７００がその局部発振器を基地局８０２のクロックに固定させることを可能にする。
【００３８】
［００４６］隣接する基地局８０２はさらに、同期チャネル(ＳＣＨ)送信８０８をブロードキャストする。上記したように、同期チャネル(ＳＣＨ)は、周波数補正チャネル（ＦＣＣＨ）が送信されるフレームの直後に続く。同期チャネル（ＳＣＨ）送信８０８は、隣接する基地局８０２の現在のフレームクロック、隣接する基地局８０２に関連する識別コード（例えば基地局識別コード（ＢＳＩＣ））、および拡張されたトレーニング系列を含む。アクセス端末７００は、８１０でタイミングを同期するために、同期チャネル(ＳＣＨ)送信８０８を復号することができる。
【００３９】
［００４７］アクセス端末７００が首尾よく同期チャネル(ＳＣＨ)送信を復号したあと、アクセス端末７００は、周期的再確認プロシージャ８１２を開始することができる。周期的再確認プロシージャ８１２は、周期的インターバルで同期チャネル(ＳＣＨ)送信を復号することによって同期チャネル(ＳＣＨ)で同期を再確認することを含むことができる。例えば、アクセス端末７００は、少なくとも３０秒ごとに同期チャネル(ＳＣＨ)によって同期を再確認するのに好適する。したがって、隣接する基地局８０２は、同期チャネル(ＳＣＨ)送信８１４をブロードキャストすることができ、アクセス端末７００は、同期チャネル(ＳＣＨ)送信が予期される時間で当該送信を復号することによって８１６で同期を再確認する。すなわち、８１６で、アクセス端末７００は、タイミング同期にしたがって、アクセス端末７００が送信信号の送信を予期するときに、同期チャネル(ＳＣＨ)送信を受信して復号するために、受信ウインドウを開く。
【００４０】
［００４８］同期チャネル(ＳＣＨ)送信が首尾よく復号されるならば、アクセス端末７００はタイミングがまだ同期していることを知ることができ、アクセス端末７００は次の再確認を行う前に所定の時間待機する。一方、アクセス端末７００が同期チャネル(ＳＣＨ)送信の復号に失敗するならば、アクセス端末７００は、図６を参照して上記したのと同様に、短縮された時間間隔内に次の再確認を企てることができる。例えば、失敗した企てに続いて、アクセス端末７００は、連続的な成功したＳＣＨ再確認期間よりも短い期間内に次の再確認を企てることができる。
【００４１】
［００４９］８１８での所定回数の企ての連続的失敗に続いて、アクセス端末７００は基地局８０２を再獲得するのに好適する。限定されない一例によれば、アクセス端末７００は、２回以上の連続的再確認の失敗のあとで再獲得を実行することができる。
【００４２】
［００５０］本開示の一側面によれば、アクセス端末７００は、同期チャネル(ＳＣＨ)についての以前に獲得した情報を用いて、再獲得プロシージャのための開放受信ウインドウのサイズを減少させる（例えば図７における受信器回路７０８の１つ以上のコンポーネントがパワーＯＮになる時間を減少させる）のに好適する。従来の組み合わせ獲得プロシージャにおいて行われているように、周波数補正チャネル(ＦＣＣＨ)および同期チャネル(ＳＣＨ)を獲得するために受信ウインドウをやみくもに開くのではなく、アクセス端末７００は、以前に実行した組み合わせ獲得プロシージャの時間同期に基づいて、同期チャネル(ＳＣＨ)が予期される時間の前後で所定の時間間隔だけ受信ウインドウを開く。言い換えると、アクセス端末７００は、上記ステップ８１０でタイミング同期に基づいて、同期チャネル(ＳＣＨ)送信が隣接する基地局８０２からいつ予期されるかについての情報をすでに獲得している。しかしながら、同期チャネル(ＳＣＨ)の再確認の連続的失敗は、アクセス端末７００のタイミング同期が外れた可能性があることを示している。
【００４３】
［００５１］アクセス端末７００は、周波数補正チャネル(ＦＣＣＨ)および同期チャネル(ＳＣＨ)が予期される時間の前後で規定された時間間隔だけ受信ウインドウを開く（８２０）とともに、同期チャネル(ＳＣＨ)が予期される時間の後で規定された時間間隔だけ受信ウインドウを閉じる（８２２）ように好適する。例えば、アクセス端末７００は、同期チャネル(ＳＣＨ)送信が予期されるフレームに先立って、少なくとも２つのフレームだけ受信ウインドウを開く（８２０）とともに、同期チャネル(ＳＣＨ)送信が予期されるフレームのあとで１つ以上のフレームだけ受信ウインドウを閉じる（８２２）ことができる。少なくとも１つの実装において、アクセス端末７００は、（周波数補正チャネル(ＦＣＣＨ)は同期チャネル(ＳＣＨ)より１フレーム前となるので）、周波数補正チャネル(ＦＣＣＨ)を獲得するために、同期チャネル(ＳＣＨ)送信が予期されるフレームに先立って２フレームだけ受信ウインドウを開く（８２０）のに好適するとともに、アクセス端末７００は、周波数補正チャネル(ＦＣＣＨ)が当該期間の間検出されないならば、同期チャネル(ＳＣＨ)送信が予期されるフレームのあと１フレームだけ受信ウインドウを閉じる（８２２）のに好適する。この例において、受信ウインドウは、従来の組み合わせ獲得プロシージャに対して受信ウインドウが潜在的に開かれる１３フレームとは対照的に全部で４フレームだけ開かれる。
【００４４】
［００５２］受信ウインドウが開かれる期間（例えば８２０と８２２の間）において、隣接する基地局８０２は、周波数補正チャネル(ＦＣＣＨ)の送信８２４および同期チャネル(ＳＣＨ)の送信８２６を実行することができるあるいは送信しない。首尾よく獲得されて復号された受信ウインドウの間に周波数補正チャネル(ＦＣＣＨ)送信８２４が存在するときに、アクセス端末７００は、そのタイミング同期を更新して、次の同期チャネル(ＳＣＨ)をさらに獲得して復号することができる。アクセス端末７００は、減少された受信ウインドウが開かれている間（例えば８２０から８２２まで）、周波数補正チャネル(ＦＣＣＨ)送信を獲得できないときには、アクセス端末７００は、隣接する基地局８０２を再獲得するために、次の組み合わせ獲得プロシージャを続いて企てるのに好適する。
【００４５】
［００５３］いくつかの実装において、以前の再獲得の企てが失敗するとき、アクセス端末７００は、従来の組み合わせ獲得プロシージャを使用するに先立って、減少された受信ウインドウを使用するために、同期チャネル(ＳＣＨ)タイミング情報を再使用することによって複数の連続的再獲得企てを実行する。言い換えると、以前に獲得した同期チャネル(ＳＣＨ)タイミング情報にもとづく組み合わせ獲得プロシージャのための減少された受信ウインドウを用いた以前に失敗した再獲得企てに続いて、アクセス端末７００は、同様に以前に獲得した同期チャネル(ＳＣＨ)タイミング情報に基づく組み合わせ獲得プロシージャのための他の減少された受信ウインドウを使用して、次の再獲得企てを実行することができる。一部の例において、アクセス端末７００は次の再獲得企てのために、以前の成功しなかった再獲得企てに対して使用された受信ウインドウよりも漸次的により大きな受信ウインドウを用いることができる。以前に獲得した同期チャネル(ＳＣＨ)タイミング情報に基づく減少した受信ウインドウを用いた、所定回数の再獲得企てが連続的に失敗したあと、アクセス端末７００は隣接する基地局８０２を再獲得するために、組み合わせ獲得プロシージャのために従来の受信ウインドウを使用することができる。
【００４６】
［００５４］本開示のさらなる特徴は、基地局の次の再獲得を実行するときに同期チャネル(ＳＣＨ)のためのタイミング情報を用いるために、アクセス端末７００などのアクセス端末に関して動作する方法を含む。図９は、少なくとも１つの例にしたがった方法を示すフロー図である。図７および図９を参照すると、アクセス端末７００は、ステップ９０２で、基地局に関連する同期チャネル(ＳＣＨ)のためのタイミング情報を獲得する。例えば、獲得動作７１２を実行する処理回路７０２は、周波数およびタイミング同期のために、個々に記述された組み合わせ獲得プロシージャを実行することができる。一般的に言えば、獲得動作７１２を実行する処理回路７０２は、受信器回路７０８の１つ以上のコンポーネントをパワーオンすることによって受信ウインドウを開くことができ、周波数同期のための周波数補正チャネル(ＦＣＣＨ)を獲得するために受信器回路７０８を介して基地局のための制御チャネルキャリアを監視することができ、時間同期のための次の同期チャネル(ＳＣＨ)を検出して復号することができる。
【００４７】
［００５５］ステップ９０４で、アクセス端末７００は、獲得したタイミングが基地局に依然として同期しているか否かを決定する。例えば、獲得動作７１２を実行する処理回路７０２は、同期チャネル(ＳＣＨ)を周期的に再確認することができる。一部の例において、獲得動作７１２を実行する処理回路７０２は、周期的な時間間隔で同期チャネル(ＳＣＨ)送信を復号することによって同期チャネル(ＳＣＨ)との同期を周期的に再確認するために、通信インタフェース７０４の受信器回路７０８を使用することができる。周期的な時間間隔は、少なくとも１つの例において少なくとも３０秒毎であることができる。再確認は、処理回路７０２が送信すべき送信信号を予期する時間において同期チャネル(ＳＣＨ)送信を受信して復号するために、（例えば受信回路７０８の少なくとも１つのコンポーネントをパワーオンして）受信ウインドウを開く処理回路７０２を含むことができる。同期チャネル(ＳＣＨ)送信信号の送信が予期される時間は、ステップ９０２で獲得されたタイミング同期に基づく。
【００４８】
［００５６］処理回路７０２が首尾よく同期チャネル(ＳＣＨ)送信を獲得して復号するならば、処理回路７０２は、タイミングは依然として同期していると決定することができる。タイミングは同期していると決定したときに、獲得動作７１２を実行する処理回路７０２は、次の再確認を実行する前に所定期間の間待機することができる。
【００４９】
［００５７］一方、処理回路７０２が同期チャネル(ＳＣＨ)送信を獲得して復号することに失敗したならば、獲得動作７１２を実行する処理回路７０２は、短縮された時間の間に、図６に関連して上記したそれと類似した、次の再確認を企てることができる。例えば、失敗した企てに続いて、獲得動作７１２を実行する処理回路７０２は、連続した成功のＳＣＨ再確認の間よりも短い期間内に次の再確認を企てる。所定回数の連続的な失敗した再確認に続いて、獲得動作７１２を実行する処理回路７０２は、タイミングはもはや同期していないと決定する。少なくとも一部の例において、獲得動作７１２を実行する処理回路７０２は、２回以上の連続的再確認の失敗に応答して、タイミングはもはや同期していないと決定することができる。
【００５０】
［００５８］処理回路７０２がもはや基地局と同期していないとの決定に応答して、アクセス端末７００は、ステップ９０６で基地局の再獲得を実行する。基地局のこの再獲得は、一般的な組み合わせ獲得プロシージャを含み、ここにおいて処理回路７０２は、周波数補正チャネル(ＦＣＣＨ)および次の同期チャネル(ＳＣＨ)のために受信器回路７０８を介して制御チャネルキャリアを監視する。しかしながら、獲得動作７１２を実行する処理回路７０２は、やみくもに受信ウインドウを開くのではなく、以前に獲得したタイミング情報に基づいて、（例えば受信器回路７０８の１つ以上のコンポーネントをパワーオンして）、受信ウインドウを戦略的に開く。受信ウインドウを開くための特定の時間は、以前の獲得されたタイミングに基づく、同期チャネル(ＳＣＨ)が予期される時間の前後のある時間間隔である。この時間間隔は、予期される同期チャネル(ＳＣＨ)に１フレームだけ先行する周波数補正チャネル(ＦＣＣＨ)を獲得するのに十分な間隔でなければならない。例えば、獲得動作７１２を実行する処理回路７０２は、先行する周波数補正チャネル(ＦＣＣＨ)を獲得することを企てるために同期チャネル(ＳＣＨ)送信が予期されるフレームに先立って少なくとも２フレームだけ受信ウインドウを開く。
【００５１】
［００５９］一部の例において、処理回路７０２は、以前に獲得したタイミング情報に基づく特定の時間で受信ウインドウを閉じることができる。受信ウインドウを閉じるための特定の時間は、処理回路７０２が同期チャネル(ＳＣＨ)送信を受信することが予期される時間のあとの所定時間量であることができる。例えば、獲得動作７１２を実行する処理回路７０２は、周波数補正チャネル(ＦＣＣＨ)が当該期間に検出されないならば、同期チャネル(ＳＣＨ)送信が予期されるフレームのあとに１つ以上のフレームだけ受信ウインドウを閉じることができる。
【００５２】
［００６０］一部の実装において、以前の再獲得企てが失敗したときに、獲得動作７１２を実行する処理回路７０２は、受信ウインドウの期間を減らすために、同期チャネル(ＳＣＨ)タイミング情報を再使用して、１つ以上の連続的再獲得企てを実行することができる。言い換えると、以前に獲得した同期チャネル(ＳＣＨ)タイミング情報に基づく、組み合わせ獲得プロシージャのための受信ウインドウを用いた以前に失敗した再確認に続いて、獲得動作７１２を実行する処理回路７０２は、以前に獲得した同期チャネル(ＳＣＨ)タイミング情報に基づく組み合わせ獲得プロシージャのための他の受信ウインドウを用いて次の再獲得企てを実行する。一部の例において、獲得動作７１２を実行する処理回路７０２は、次の再獲得企てのために、以前に成功しなかった再獲得企てのために使用された受信ウインドウよりも漸次的に大きな受信ウインドウを使用することができる。例えば初回の再獲得企ては、同期チャネル(ＳＣＨ)が予期される時間の前に約２フレームだけ受信ウインドウを開く。初回の再獲得企てが失敗するならば、獲得動作７１２を実行する処理回路７０２は、同期チャネル(ＳＣＨ)が予期される時間より前に約３以上のフレームだけ受信ウインドウを開くことによって次の再獲得企てを実行することができる。
【００５３】
［００６１］以前に獲得した同期チャネル(ＳＣＨ)タイミング情報に基づく減少された受信ウインドウを用いた所定回数の再獲得企てが失敗したあと、アクセス端末７００は、ステップ９０８で基地局を再獲得するために組み合わせ獲得プロシージャのための従来の受信ウインドウを使用することができる。例えば、獲得動作７１２を実行する処理回路７０２は、獲得したタイミング情報に基づいて受信ウインドウが開いているときに基地局を再獲得するための所定回数の連続的企ては失敗したと決定することができる。例えば、処理回路７０２が、受信ウインドウをいつ開くかを決定するために取得したタイミング情報を用いて基地局の再獲得を企てるたびに、処理回路７０２はカウント値を保持することができる。カウント値が所定回数に到達したとき、獲得動作７１２を実行する処理回路７０２は、獲得したタイミング情報を用いた再獲得方法は失敗したと決定することができる。この決定に応答して、獲得動作７１２を実行する処理回路７０２は、（例えば上記した従来のプロシージャにしたがって受信ウインドウを開くことによって）獲得したタイミング情報を用いることなしに周波数補正チャネル(ＦＣＣＨ)を探すことによって組み合わせ獲得プロシージャを実行することができる。
【００５４】
［００６２］ここに記述された側面および特徴を用いることによってアクセス端末は、そのようなタイミング情報が正確ではない可能性があると決定されたあとでさえも、基地局を再獲得するための同期チャネル(ＳＣＨ)のための以前に取得したタイミング情報を使用することによって電力消費を大きく減らすことができる。
【００５５】
［００６３］上記に説明した側面、構成及び実施例は特定の詳細および特殊性をもとに説明されたが、図１、２、３、４、５、６、７、８及び／または図９において示された１つ以上のコンポーネント、ステップ、特徴及び／または機能は、単一のコンポーネント、ステップ、特徴または機能に再構成及び／又は組み合わせられるか、あるいは、いくつかのコンポーネント、ステップあるいは機能において実現することができる。本発明から逸脱することなしに、さらなる要素、コンポーネント、ステップ及び／または機能が追加されあるいは不用にすることができる。図１、２及び／または図７に示されるデバイスおよび／またはコンポーネントは、図３、４、５、６、８及び／または図９に記述された１つ以上の方法、特徴、パラメータあるいはステップを実行あるいは使用するように構成することができる。ここに記述された新規なアルゴリズムはソフトウエアで効率よく実装される及び／又はハードウエア内に埋め込まれる。
【００５６】
［００６４］また、少なくとも一部の実装はフローチャート、フロー図、構造図、あるいはブロック図として記述されるプロセスとして記述されたことに注意されたい。フローチャートはオペレーションを順次プロセスとして記述するものであるが、多くのオペレーションは並行してあるいは同時に実行することができる。さらに、オペレーションの順番は再構成することができる。プロセスはそのオペレーションが完了したときに停止される。プロセスは、方法、機能、プロシージャ、サブルーチン、サブプログラム、などに対応するものである。プロセスが機能に対応する場合、その停止は、当該機能のコール関数あるいはメイン関数へのリターンに対応する。ここに記述された種々の方法は、機械読み取り可能、コンピュータ読み取り可能及び／又はプロセッサ読み取り可能な記憶媒体に記憶され、１つ以上のプロセッサ、機械および／またはデバイスによって実行されるプログラミング（例えば命令および／又はデータ）によって部分的にあるいは全部が実装されることができる。
【００５７】
［００６５］当業者ならば、個々に開示された実施例に関連して記述された種々の例示的論理ブロック、モジュール、回路、およびアルゴリズムステップは、ハードウエア、ソフトウエア、ファームウエア、ミドルウエア、ミクロコード、あるいはそれらの任意の組み合わせ、として実装することができる。この交換性を明確に示すために、種々の例示的コンポーネント、ブロック、モジュール、回路およびステップが概してそれらの機能の観点から上述された。そのような機能がハードウエアとして実装されるかソフトウエアとして実装されるかは、特定のアプリケーションおよび全体システムに課せられた設計上の拘束に依存する。
【００５８】
［００６６］ここに記述され添付の図面において示された種々の特徴は、本開示の範囲から逸脱することなしに異なる例および実装形態にて実装されることができる。したがって、ある特定の構造および構成が記述されかつ添付の図面によって示されたが、記述された実施形態に対する種々の他の追加及び変形、あるいは記述された実施形態からの削除が当業者にとって明らかであるので、そのような実施形態は単なる例示であって開示の範囲を制限するものでない。
【図１】
2015519846.tif 000003
【図２】
2015519846.tif 000004
【図３】
2015519846.tif 000005
【図４】
2015519846.tif 000006
【図５】
2015519846.tif 000007
【図６】
2015519846.tif 000008
【図７】
2015519846.tif 000009
【図８】
2015519846.tif 000010
【図９】
2015519846.tif 000011
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
アクセス端末であって
通信インタフェースと、
記憶媒体と、
前記通信インタフェースと前記記憶媒体とに結合された処理回路であって、
基地局に関連する同期チャネル（ＳＣＨ）のためのタイミング情報を取得し、
前記取得された同期チャネル（ＳＣＨ）タイミング情報が、現在前記基地局に同期していないことを決定し、
前記取得された同期チャネル（ＳＣＨ）タイミング情報は、現在前記基地局に同期していないという決定に応答して、前記基地局を再獲得するための受信ウインドウをいつ開くかを決定するために前記取得されたタイミング情報を使用する、
のに好適する処理回路と、
を備えるアクセス端末。
【請求項２】
前記取得された同期チャネル（ＳＣＨ）タイミング情報が、前記基地局に同期していないことを決定するのに好適する前記処理回路は、前記取得された同期チャネル（ＳＣＨ）タイミング情報が現在前記基地局に同期しているかどうかを決定するために、前記取得された同期チャネル（ＳＣＨ）タイミング情報を周期的に再確認するのに好適する前記処理回路を備える、請求項１に記載のアクセス端末。
【請求項３】
前記処理回路は、前記取得された同期チャネル（ＳＣＨ）タイミング情報の所定回数の連続的な再確認の失敗に応答して、前記基地局を再獲得するための前記受信ウインドウをいつ開くかを決定するために前記取得されたタイミング情報を使用するのに好適する請求項２に記載のアクセス端末。
【請求項４】
前記基地局を再獲得するための受信ウインドウをいつ開くかを決定するために前記取得されたタイミング情報を使用するのに好適する前記処理回路は、
前記取得されたタイミング情報に基づいて、前記同期チャネル（ＳＣＨ）が予期される時間に先立って、所定量の時間だけ前記受信ウインドウを開くのに好適する前記処理回路を備え、前記所定量の時間は、前記予期された同期チャネル（ＳＣＨ）に先立って周波数補正チャネル（ＦＣＣＨ）を獲得するのに十分となるように決定される請求項１に記載のアクセス端末。
【請求項５】
前記処理回路はさらに、前記取得されたタイミング情報に基づいて、前記同期チャネル（ＳＣＨ）送信が予期される時間のあとの予め決められた時間量だけ前記受信ウインドウを閉じるために前記取得されたタイミング情報を使用するのに好適する請求項４のアクセス端末。
【請求項６】
前記処理回路は、
前記取得されたタイミング情報に基づいて、前記受信ウインドウを開くときに前記基地局を再獲得するための所定回数の連続的な企てが失敗したことを決定し、
前記取得されたタイミング情報を使用することなしに、周波数補正チャネル（ＦＣＣＨ）を探索することによって獲得プロシージャを実行する
のに好適する、請求項１のアクセス端末。
【請求項７】
前記処理回路は、組み合わせ獲得プロシージャによって前記基地局に関連する前記同期チャネル（ＳＣＨ）のためのタイマ情報を取得するのに好適する請求項１のアクセス端末。
【請求項８】
アクセス端末に関して動作可能な方法であって、
基地局に関連する同期チャネル（ＳＣＨ）のためのタイミング情報を取得することと、
前記取得されたタイミングが、現在前記基地局に同期しているかどうかを決定することと、
前記取得されたタイミングは、現在前記基地局に同期していないという決定に応答して、前記基地局を再獲得するための受信ウインドウを開くことと、ここにおいて、前記受信ウインドウは、前記取得されたタイミング情報に基づく時間で開かれる、
を備える方法。
【請求項９】
前記基地局に関連する前記同期チャネル（ＳＣＨ）のための前記タイミング情報を取得することは、
周波数補正チャネル（ＦＣＣＨ）を獲得することと、
前記周波数補正チャネル（ＦＣＣＨ）に続いて同期チャネル（ＳＣＨ）を復号することと、
を備える、組み合わせ獲得プロシージャを実行することを含む請求項８に記載の方法。
【請求項１０】
前記取得されたタイミングが現在前記基地局に同期しているかどうかを決定することは、前記取得された同期チャネル（ＳＣＨ）タイミング情報を周期的に再確認することを備える請求項８に記載の方法。
【請求項１１】
前記取得されたタイミング情報に基づく時間で前記受信ウインドウを開くことは、同期チャネル（ＳＣＨ）送信が予期される時間に先立って、前記受信ウインドウを所定の時間量だけ開くことを備える請求項８に記載の方法。
【請求項１２】
前記所定の時間量は、前記予期された同期チャネル（ＳＣＨ）送信に先立つ周波数補正チャネル（ＦＣＣＨ）を獲得するのに十分な時間量を含む請求項１１に記載の方法。
【請求項１３】
前記取得されたタイミング情報に基づく時間で前記受信ウインドウを閉じることをさらに備える請求項８に記載の方法。
【請求項１４】
前記取得されたタイミング情報に基づいて、前記アクセス端末が受信ウインドウによって前記基地局を再獲得できないことを決定することと、
前記取得されたタイミング情報を用いることなしに周波数補正チャネル（ＦＣＣＨ）を探索することによって、獲得プロシージャを実行することと、
をさらに備える請求項８に記載の方法。
【請求項１５】
アクセス端末であって、
基地局に関連する同期チャネル（ＳＣＨ）のためのタイミング情報を取得するための手段と、
前記取得された同期チャネル（ＳＣＨ）タイミング情報を周期的に再確認するための手段と、
２回以上の連続的な周期的再確認の失敗に応答して、前記基地局を再獲得するための受信ウインドウを開くための手段と、ここにおいて、前記受信ウインドウは、前記取得されたタイミング情報に基づく時間で開かれる、
を備えるアクセス端末。
【請求項１６】
前記取得されたタイミング情報に基づく時間で前記受信ウインドウを開くことは、
同期チャネル（ＳＣＨ）送信が予期される時間に先立って所定の時間量だけ前記受信ウインドウを開くことを備え、ここにおいて、前記所定の時間量は、前記予期された同期チャネル（ＳＣＨ）送信に先立つ周波数補正チャネル（ＦＣＣＨ）を獲得するのに十分な時間量を含む、請求項１５に記載のアクセス端末。
【請求項１７】
前記取得されたタイミング情報に基づく時間で前記受信ウインドウを閉じるための手段をさらに備える請求項１５に記載のアクセス端末。
【請求項１８】
前記取得されたタイミング情報に基づいて、前記アクセス端末が受信ウインドウによって前記基地局を再獲得できないことを決定するための手段と、
前記取得されたタイミング情報を用いることなしに周波数補正チャネル（ＦＣＣＨ）を探索することによって、獲得プロシージャを実行するための手段と、
をさらに備える請求項１５に記載のアクセス端末。
【請求項１９】
コンピュータ読み取り可能な媒体であって、
基地局に関連する同期チャネル（ＳＣＨ）のためのタイミング情報を取得し、
前記取得された同期チャネル（ＳＣＨ）タイミング情報が、現在前記基地局に同期していないことを決定し、
前記取得された同期チャネル（ＳＣＨ）タイミング情報は、現在前記基地局に同期していないという決定に応答して、前記基地局を再獲得するための受信ウインドウをいつ開くかを決定するために、前記取得されたタイミング情報を使用する、
ためのプログラミングを備える、コンピュータ読み取り可能な媒体。
【請求項２０】
前記取得された同期チャネル（ＳＣＨ）タイミング情報が、現在前記基地局に同期していないことを決定することは、前記取得されたタイミング情報が現在前記基地局と同期しているかどうかを決定するために前記取得された同期チャネル（ＳＣＨ）タイミング情報を周期的に再確認することを備える、請求項１９に記載のコンピュータ読み取り可能な媒体。
【請求項２１】
前記基地局を再獲得するための受信ウインドウをいつ開くかを決定するために前記取得されたタイミング情報を使用することは、
前記取得された同期チャネル（ＳＣＨ）タイミング情報の所定回数の連続的な再確認の失敗に応答して、前記基地局を再獲得するための前記受信ウインドウをいつ開くかを決定するために前記取得されたタイミング情報を使用することを備える、請求項２０に記載のコンピュータ読み取り可能な媒体。
【請求項２２】
前記基地局を再獲得するための受信ウインドウをいつ開くかを決定するために前記取得されたタイミング情報を使用することは、
前記取得されたタイミング情報に基づいて、前記同期チャネル（ＳＣＨ）送信が予期される時間の後に所定の時間量だけ前記受信ウインドウを閉じるために、前記取得されたタイミング情報を使用することを備える、請求項１９に記載のコンピュータ読み取り可能な媒体。
【請求項２３】
前記受信ウインドウを開くときに、前記取得されたタイミング情報に基づいて前記基地局を再獲得するための所定回数の連続的な企てが失敗したと決定し、
前記取得されたタイミング情報を使用することなしに周波数補正チャネル（ＦＣＣＨ）を探索することによって獲得プロシージャを実行する、
ためのプログラミングをさらに備える請求項１９に記載のコンピュータ読み取り可能な媒体。
【手続補正２】
【補正対象書類名】明細書
【補正対象項目名】００５８
【補正方法】変更
【補正の内容】
【００５８】
［００６６］ここに記述され添付の図面において示された種々の特徴は、本開示の範囲から逸脱することなしに異なる例および実装形態にて実装されることができる。したがって、ある特定の構造および構成が記述されかつ添付の図面によって示されたが、記述された実施形態に対する種々の他の追加及び変形、あるいは記述された実施形態からの削除が当業者にとって明らかであるので、そのような実施形態は単なる例示であって開示の範囲を制限するものでない。
以下に、本願出願の当初の特許請求の範囲に記載された発明を付記する。
［Ｃ１］  アクセス端末であって
通信インタフェースと、
記憶媒体と、
前記通信インタフェースと前記記憶媒体とに結合された処理回路であって、
基地局に関連する同期チャネル（ＳＣＨ）のためのタイミング情報を取得し、
前記基地局を再獲得するための受信ウインドウをいつ開くかを決定するために前記取得したタイミング情報を使用する、のに好適する処理回路と、
を備えるアクセス端末。
［Ｃ２］  前記処理回路はさらに、前記獲得したタイミング情報が現在前記基地局に同期しているかどうかを決定するために、前記取得された同期チャネル（ＳＣＨ）タイミング情報を周期的に再確認するのに好適するＣ１に記載のアクセス端末。
［Ｃ３］  前記処理回路はさらに、前記取得された同期チャネル（ＳＣＨ）タイミング情報の再確認が連続して所定回数失敗したことに応答して、前記基地局を再獲得するための前記受信ウインドウをいつ開くかを決定するために前記取得したタイミング情報を使用するのに好適するＣ２に記載のアクセス端末。
［Ｃ４］  前記基地局を再獲得するための受信ウインドウをいつ開くかを決定するために前記取得したタイミング情報を使用するのに好適する前記処理回路は、
前記取得したタイミング情報に基づいて、前記同期チャネル（ＳＣＨ）が予期される時間に先立って、所定量の時間だけ前記受信ウィンドウを開くのに好適し、前記所定量の時間は、前記予期された同期チャネル（ＳＣＨ）に先立って周波数補正チャネル（ＦＣＣＨ）を獲得するのに十分となるように決定されるＣ１に記載のアクセス端末。
［Ｃ５］  前記処理回路はさらに、前記獲得されたタイミング情報に基づいて、前記同期チャネル（ＳＣＨ）送信が予期される時間のあとの予め決められた時間量だけ前記受信ウインドウを閉じるために前記獲得されたタイミング情報を使用するのに好適するＣ４のアクセス端末。
［Ｃ６］  前記処理回路は、前記獲得されたタイミング情報に基づいて、前記受信ウインドウを開くときに前記基地局を再獲得するための所定回数の連続的な企てが失敗したことを決定するとともに、
前記獲得されたタイミング情報を使用することなしに、周波数補正チャネル（ＦＣＣＨ）を探索することによって獲得プロシージャを実行するのに好適するＣ１のアクセス端末。
［Ｃ７］  前記処理回路は、組み合わせ獲得プロシージャによって前記基地局に関連する前記同期チャネル（ＳＣＨ）のための前記タイマ情報を獲得するのに好適するＣ１のアクセス端末。
［Ｃ８］  アクセス端末に関して動作可能な方法であって、
基地局に関連する同期チャネル（ＳＣＨ）のためのタイミング情報を獲得することと、
前記獲得されたタイミング情報が現在、前記基地局に同期しているかどうかを決定することと、
前記獲得されたタイミングは、現在前記基地局に同期していないという決定に応答して、前記基地局を再獲得するための受信ウインドウを開くことであって、前記受信ウインドウは、前記獲得されたタイミング情報に基づく時間で開かれることと、
を備える方法。
［Ｃ９］  前記基地局に関連する前記同期チャネル（ＳＣＨ）のための前記タイミング情報を獲得することは、
周波数補正チャネル（ＦＣＣＨ）を獲得することと、
前記周波数補正チャネル（ＦＣＣＨ）に続いて同期チャネル（ＳＣＨ）を復号することと、を備える、組み合わせ獲得プロシージャを実行することを含む組み合わせ獲得プロシージャを実行することを含むＣ８に記載の方法。
［Ｃ１０］  前記獲得されたタイミングが現在前記基地局に同期しているかどうかを決定することは、前記獲得された同期チャネル（ＳＣＨ）タイミング情報を周期的に再確認することを備えるＣ８に記載の方法。
［Ｃ１１］  前記獲得されたタイミング情報に基づく時間で前記受信ウインドウを開くことは、同期チャネル（ＳＣＨ）送信が予期される時間に先立って、前記受信ウインドウを所定の時間量だけ開くことを備えるＣ８に記載の方法。
［Ｃ１２］  前記所定の時間量は、前記予期された同期チャネル（ＳＣＨ）送信に先立つ周波数補正チャネル（ＦＣＣＨ）を獲得するのに十分な時間量を含むＣ１１に記載の方法。
［Ｃ１３］  前記獲得されたタイミング情報に基づく時間で前記受信ウインドウを閉じることをさらに備えるＣ８に記載の方法。
［Ｃ１４］  前記獲得されたタイミング情報に基づいて、前記アクセス端末が受信ウインドウによって前記基地局を再獲得できないことを決定することと、
前記獲得されたタイミング情報を用いることなしに周波数補正チャネル（ＦＣＣＨ）を探索することによって、獲得プロシージャを実行することと、をさらに備えるＣ８に記載の方法。
［Ｃ１５］  アクセス端末であって、
基地局に関連する同期チャネル（ＳＣＨ）のためのタイミング情報を獲得するための手段と、
前記獲得された同期チャネル（ＳＣＨ）タイミング情報を周期的に再確認するための手段と、
２回以上の連続的周期的再確認の失敗に応答して、前記基地局を再獲得するための受信ウインドウを開くための手段であって、前記受信ウインドウは、前記獲得されたタイミング情報に基づく時間で開かれる手段と、を備えるアクセス端末。
［Ｃ１６］  前記獲得されたタイミング情報に基づく時間で前記受信ウインドウを開くことは、
同期チャネル（ＳＣＨ）送信が予期される時間に先立って所定の時間量だけ前記受信ウインドウを開くことであって、前記所定の時間量は、前記予期された同期チャネル（ＳＣＨ）送信に先立つ周波数補正チャネル（ＦＣＣＨ）を獲得するのに十分な時間量を含むことをさらに備えるＣ１５に記載のアクセス端末。
［Ｃ１７］  前記獲得されたタイミング情報に基づく時間で前記受信ウインドウを閉じるための手段をさらに備えるＣ１５に記載のアクセス端末。
［Ｃ１８］  前記獲得されたタイミング情報に基づいて、前記アクセス端末が受信ウインドウによって前記基地局を再獲得できないことを決定するための手段と、
前記獲得されたタイミング情報を用いることなしに周波数補正チャネル（ＦＣＣＨ）を探索することによって、獲得プロシージャを実行するための手段と、
をさらに備えるＣ１５に記載の方法。
［Ｃ１９］  コンピュータ読み取り可能媒体であって、
基地局に関連する同期チャネル（ＳＣＨ）のためのタイミング情報を獲得し、
前記基地局を再獲得するための受信ウインドウをいつ開くかを決定するために、前記獲得したタイミング情報を使用する、ためのプログラミングを備える、コンピュータ読み取り可能媒体。
［Ｃ２０］  前記獲得されたタイミング情報が現在前記基地局と同期しているかどうかを決定するために前記獲得された同期チャネル（ＳＣＨ）タイミング情報を周期的に再確認するためのプログラミングをさらに備えるＣ１９に記載のコンピュータ読み取り可能媒体。
［Ｃ２１］  前記基地局を再獲得するための受信ウインドウをいつ開くかを決定するために前記獲得されたタイミング情報を使用することは、
前記獲得された同期チャネル（ＳＣＨ）タイミング情報の所定回数の連続的再確認の失敗に応答して、前記基地局を再獲得するための前記受信ウインドウをいつ開くかを決定するために前記獲得されたタイミング情報を使用することをさらに備えるＣ２０に記載のコンピュータ読み取り可能な媒体。
［Ｃ２２］  前記基地局を再獲得するための受信ウインドウをいつ開くかを決定するために前記獲得されたタイミング情報を使用することは、
前記獲得されたタイミング情報に基づいて、前記同期チャネル（ＳＣＨ）送信が予期される時間の後に所定の時間量だけ前記受信ウインドウを閉じるために、前記獲得された時間情報を使用することを備えるＣ１９に記載のコンピュータ読み取り可能な媒体。
［Ｃ２３］  前記受信ウインドウを開くときに、前記獲得されたタイミング情報に基づいて前記基地局を再獲得するための所定回数の連続的企てが失敗したと決定し、
前記獲得されたタイミング情報を使用することなしに周波数補正チャネル（ＦＣＣＨ）を探索することによって獲得プロシージャを実行する、ためのプログラミングをさらに備えるＣ１９に記載のコンピュータ読み取り可能な媒体。
【国際調査報告】
2015519846.tif 000012
2015519846.tif 000013
2015519846.tif 000014